(57)【要約】【課題】作像装置の各装置と書込みユニットフレームとの位置ずれを少なくして、画像品質の低下を防止するとともに、部品点数を低減してコストダウンを図る。【解決手段】複写機本体（画像形成装置本体）の本体フレームＦで、露光装置を保持する書込みユニットフレーム８０を支持する。書込みユニットフレームには、左右に水平折り曲げ部８１を設け、その水平折り曲げ部を本体フレームの一対の水平フレームｍ、ｎ上に載せ、前後２ヶ所で各々固定ねじ８２を上からねじ付けて固定する。このとき、ねじ付け位置の少なくとも１つは、高さ調整自在とする。書込みユニットフレームには、位置決めピン８４で位置決めし、前側に前側板８５を取り付け、後側にその前側板と対向して後側板８６を取り付け、取付ねじ８７でねじ止め固定する。そして、それらの前後側板で、４つの像担持体を備えたタンデム作像装置を支持する。【選択図】　　　　図７
2004045923.tif 000002
【特許請求の範囲】
【請求項１】
画像形成装置本体の本体フレームで、露光装置を保持する書込みユニットフレームを支持し、その書込みユニットフレームに前側板と後側板とを対向して取り付け、それらの前後側板で作像装置を支持することを特徴とする、画像形成装置。
【請求項２】
前記本体フレームに一対の水平フレームを設け、それら一対の水平フレーム上に載せて前記書込みユニットフレームを支持することを特徴とする、請求項１に記載の画像形成装置。
【請求項３】
前記一対の水平フレーム上で前記書込みユニットフレームを高さ調整自在に固定することを特徴とする、請求項２に記載の画像形成装置。
【請求項４】
前記作像装置として、４つの像担持体を備えたタンデム作像装置を備えることを特徴とする、請求項１に記載の画像形成装置。
【発明の詳細な説明】
【０００１】
【発明の属する技術分野】
この発明は、複写機やプリンタやファクシミリ、またはそれらの複合機などの画像形成装置に関する。特にそのうち、帯電・書込み・現像・転写・クリーニング等を繰り返して像担持体上に逐次トナー画像を形成し、そのトナー画像を順次転写して、最終的に用紙・ＯＨＰフィルム等の記録媒体に記録を行う電子写真式の画像形成装置に関する。
【０００２】
【従来の技術】
従来、この種の電子写真式画像形成装置では、例えば、画像形成装置本体の本体フレームに前側板と後側板を取り付け、それらの前後側板間で、作像装置の像担持体・帯電装置・現像装置・転写装置・クリーニング装置などを取り付ける一方、それらの前後側板間に複数のステーを掛け渡してそれらのステーに横方向から締結して書込みユニットフレームを固定する構成となっていた。
【０００３】
【発明が解決しようとする課題】
ところが、そのような従来の構成であると、ステーを介して書込みユニットフレームを取り付けるから、ステーの公差分、公差の積み上げが多くなって、作像装置の各装置と書込みユニットフレームの位置ずれが大きくなり、画像品質が低下するとともに、部品点数が増加してコストアップとなる問題があった。
【０００４】
そこで、この発明の第１の目的は、作像装置の各装置と書込みユニットフレームとの位置ずれを少なくして、画像品質の低下を防止するとともに、部品点数を低減してコストダウンを図ることにある。
【０００５】
また、従来の構成では、ステーに横方向から締結して書込みユニットフレームを固定するから、書込みユニットフレームの取り付け作業が面倒である問題があった。
【０００６】
そこで、この発明の第２の目的は、書込みユニットフレームの取り付け作業を簡単とすることにある。
【０００７】
この発明の第３の目的は、書込みユニットフレームを歪みなく取り付け、画像品質の低下を一層防止することにある。
【０００８】
ところで、今日、画像形成装置では、市場からの要求にともない、カラー複写機やカラープリンタなど、カラーのものが多くなってきている。
【０００９】
カラー画像形成装置には、１つの像担持体のまわりに複数色の現像装置を備え、それらの現像装置でトナーを付着して像担持体上に合成トナー画像を形成し、そのトナー画像を転写して記録媒体にカラー画像を記録する、いわゆる１ドラム型のものと、並べて備える複数の像担持体にそれぞれ個別に現像装置を備え、各像担持体上にそれぞれ単色トナー画像を形成し、それらの単色トナー画像を順次転写して記録媒体に合成カラー画像を記録する、いわゆるタンデム型のものとがある。
【００１０】
１ドラム型の画像形成装置とダンデム型の画像形成装置とを比較すると、前者は、像担持体が１つであることから、比較的小型化でき、コストを低減できる利点はあるものの、１つの像担持体を用いて複数回（通常４回）画像形成を繰り返し、フルカラー画像を形成することから、画像形成の高速化を図ることができない欠点があった。
【００１１】
他方、後者は、像担持体を複数設けることから、逆に大型化し、コスト高となる欠点があるものの、複数の像担持体を用いて記録媒体の１度の通過でフルカラー画像を形成することから、画像形成の高速化を図ることができる利点があった。最近では、フルカラーもモノクロ並みのスピードが要求されることから、後者のタンデム型が注目されている。
【００１２】
タンデム型の画像形成装置には、例えば図８に示すように、各像担持体１上の画像を転写装置２により、記録媒体搬送ベルト３で搬送する記録媒体ｓに順次転写する直接転写方式のものと、例えば図９に示すように、各像担持体１上の画像を１次転写装置２によりいったん中間転写体４に順次転写して後、その中間転写体４上の画像を２次転写装置５により記録媒体ｓに一括転写する間接転写方式のものとがある。
【００１３】
直接転写方式のものと間接転写方式のものとを比較すると、前者は、像担持体１を並べたタンデム作像装置Ｔの上流側に給紙装置６を、下流側に定着装置７を配置しなければならず、大型化する欠点がある。これに対し、後者は、２次転写位置を比較的自由に設置することができるから、給紙装置６および定着装置７をタンデム作像装置Ｔと重ねて配置することができ、小型化が可能となる利点がある。
【００１４】
また、前者は、大型化しないように定着装置７をタンデム作像装置Ｔに接近して配置することとなるから、記録媒体ｓがたわむことができる十分な余裕をもって定着装置７を配置することができず、記録媒体ｓの先端が定着装置７に進入するときの衝撃や、定着装置７を通過するときの記録媒体搬送速度差などで、定着装置７が後端側の画像形成に影響を及ぼす欠点がある。これに対し、後者は、記録媒体ｓがたわむことができる十分な余裕をもって定着装置７を配置することができるから、定着装置７がほとんど画像形成に影響を及ぼさないようにすることができる。
【００１５】
このようなことから、最近は、タンデム型画像形成装置の中の、特に間接転写方式のものが注目されてきている。
【００１６】
しかしながら、間接転写方式のタンデム型画像形成装置では、１ドラム型に比べ、図９に示す例でいうと、各像担持体１同士、各像担持体１と不図示の露光装置、各像担持体１と中間転写体４間の位置関係を精度よく構成する必要があり、色ずれを生じやすい問題があった。
【００１７】
そこで、この発明の第４の目的は、特にタンデム型画像形成装置において、精度よく構成して、作像装置の各装置と書込みユニットフレームとの位置ずれを少なくし、画像品質の低下を防止するとともに、部品点数を低減してコストダウンを図ることにある。
【００１８】
【課題を解決するための手段】
そのため、請求項１に記載の発明は、上述した第１の目的を達成すべく、画像形成装置本体の本体フレームで、露光装置を保持する書込みユニットフレームを支持し、その書込みユニットフレームに前側板と後側板とを対向して取り付け、それらの前後側板で作像装置を支持する、ことを特徴とする。
【００１９】
請求項２に記載の発明は、上述した第２の目的を達成すべく、請求項１に記載の画像形成装置において、本体フレームに一対の水平フレームを設け、それら一対の水平フレーム上に載せて書込みユニットフレームを支持する、ことを特徴とする。
【００２０】
請求項３に記載の発明は、上述した第３の目的を達成すべく、請求項２に記載の画像形成装置において、一対の水平フレーム上で書込みユニットフレームを高さ調整自在に固定する、ことを特徴とする。
【００２１】
請求項４に記載の発明は、上述した第４の目的を達成すべく、請求項１に記載の画像形成装置において、作像装置として、４つの像担持体を備えたタンデム作像装置を備える、ことを特徴とする。
【００２２】
【発明の実施の形態】
以下、図面を参照しつつ、この発明の実施の形態につき説明する。
図１には、この発明による画像形成装置の一例であるカラー複写機の全体概略構成を示す。
【００２３】
図中符号１００は複写機本体（画像形成装置本体）、２００はそれを載せる給紙テーブル、３００は複写機本体１００上に取り付けるスキャナ、４００はさらにその上に取り付ける自動原稿搬送装置（ＡＤＦ）である。
【００２４】
複写機本体１００には、中央に、無端ベルト状の中間転写体１０を、図示例では１つの駆動ローラ１４と２つの従動ローラ１５・１６に掛け回して図中時計回りに回転搬送可能に設ける。もちろん、別途中間転写体１０の片寄りを調整するローラに掛け回すなど、４つ以上のローラに掛け回すようにしてもよい。なお、中間転写体１０は、図示例ではほぼ水平に張り渡すが、水平ではなく、斜めに傾斜して張り渡すようにしてもよい。
【００２５】
この図示例では、一方の従動ローラ１５の左に、画像転写後に中間転写体１０上に残留する残留トナーを除去するベルトクリーニング装置１７を設ける。
【００２６】
また、駆動ローラ１４と従動ローラ１５間に張り渡した中間転写体１０上には、その搬送方向に沿って、ブラック・イエロ・マゼンタ・シアンの４つの単色作像手段１８を横に並べて配置してタンデム作像装置２０を設ける。タンデム作像装置２０の上には、さらに露光装置２１を設ける。露光装置２１は、その各構成部品をそれぞれ１つの書込みユニットフレーム８０に取り付け、ユニット化して保持する。
【００２７】
一方、中間転写体１０の張り渡し領域の下方には、２次転写装置２２を備える。２次転写装置２２は、図示例では、２つのローラ２３間に、無端ベルトである２次転写ベルト２４を掛け渡して構成し、他方の従動ローラ１６に押し当てて中間転写体１０上の画像を記録媒体に転写する。
【００２８】
２次転写装置２２の横には、記録媒体上の転写画像を定着する定着装置２５を設ける。定着装置２５は、無端ベルトである定着ベルト２６に加圧ローラ２７を押し当てて構成する。そして、全部でもよいが、図示例ではその一部を、中間転写体１０の張り渡し領域の下方に入り込ませて備えてなる。
【００２９】
上述した２次転写装置２２には、画像転写後の記録媒体をこの定着装置２５へと搬送する媒体搬送機能も備えている。もちろん、２次転写装置２２として、非接触のチャージャを配置してもよく、そのような場合は、この媒体搬送機能を併せて備えることは難しくなる。
【００３０】
さて、このような２次転写装置２２および定着装置２５の下には、中間転写体１０の張り渡し方向と平行に、記録媒体の両面に画像を形成すべく記録媒体を反転する記録媒体反転装置２８を備える。
【００３１】
ところで、いまこのカラー複写機を用いてコピーをとるときは、自動原稿搬送装置４００の原稿台３０上に原稿をセットする。または、自動原稿搬送装置４００を開いてスキャナ３００のコンタクトガラス３２上に原稿をセットし、自動原稿搬送装置４００を閉じてそれで押さえる。
【００３２】
そして、不図示のスタートスイッチを押すと、自動原稿搬送装置４００に原稿をセットしたときは、原稿を搬送してコンタクトガラス３２上へと移動してから、スキャナ３００を駆動して原稿内容を読み取る。コンタクトガラス３２上に原稿をセットしたときは、そのまま原稿内容を読み取る。
【００３３】
また、不図示のスタートスイッチを押すと、不図示の駆動モータで駆動ローラ１４を回転駆動して従動ローラ１５・１６を従動回転し、中間転写体１０を回転搬送する。同時に、個々の単色作像手段１８でその像担持体４０を回転して各像担持体４０上にそれぞれ、ブラック・イエロ・マゼンタ・シアンの単色画像を形成する。そして、中間転写体１０の搬送とともに、それらの単色画像を順次重ね１次転写して中間転写体１０上に合成カラー画像を形成する。
【００３４】
一方、不図示のスタートスイッチを押すと、給紙テーブル２００の給紙ローラ４２の１つを選択回転し、ペーパーバンク４３に多段に備える給紙カセット４４の１つから記録媒体を繰り出し、分離ローラ４５で１枚ずつ分離して給紙路４６に入れ、搬送ローラ４７で搬送して複写機本体１００内の給紙路４８に導き、レジストローラ４９に突き当てて止める。
【００３５】
または、給紙ローラ５０を回転して手差しトレイ５１上の記録媒体を繰り出し、分離ローラ５２で１枚ずつ分離して手差し給紙路５３に入れ、同じくレジストローラ４９に突き当てて止める。
【００３６】
そして、中間転写体１０上の合成カラー画像にタイミングを合わせてレジストローラ４９を回転し、中間転写体１０と２次転写装置２２との間に記録媒体を送り込み、２次転写装置２２で中間転写体１０上の合成カラー画像を一括して２次転写して記録媒体上にカラー画像を形成する。
【００３７】
この２次転写部分において、記録媒体裏面に負極性のバイアス電圧、例えば−８００〜−２０００Ｖを印加し、また例えば５０Ｎ／ｃｍ２程度の圧力をかける。この印加電圧によって発生した電界による静電気力と圧力とによって、中間転写体１０のトナーを引き寄せ、記録媒体に一括転写する（２次転写）。
【００３８】
画像転写後の記録媒体は、２次転写装置２２で搬送して定着装置２５へと送り込み、定着装置２５で熱と圧力とを加えて転写画像を定着して後、切換爪５５で切り換えて排出ローラ５６で排出し、排紙トレイ５７上にスタックする。または、切換爪５５で切り換えて記録媒体反転装置２８に入れ、そこで反転して再び転写位置へと導き、裏面にも画像を形成して後、排出ローラ５６で排紙トレイ５７上に排出する。
【００３９】
一方、画像転写後の中間転写体１０は、ベルトクリーニング装置１７で、画像転写後に中間転写体１０上に残留する残留トナーを除去し、タンデム作像装置２０による再度の画像形成に備える。
【００４０】
さて、上述したタンデム作像装置２０において、各単色作像手段１８は、詳しくは、例えば図２に示すように、ドラム状の像担持体４０のまわりに、帯電装置６０、現像装置６１、１次転写装置６２、クリーニング装置６３、除電装置６４などを備えてなる。
【００４１】
図示省略するが、これら単色作像手段１８を構成する部分の全部または一部でプロセスカートリッジを形成し、複写機本体１００に対して一括して着脱自在としてメンテナンス性を向上するようにしてもよい。
【００４２】
単色作像手段１８を構成する部分のうち、帯電装置６０は、図示例では帯電ローラを用い、像担持体４０に接触して電圧を印加することによりその像担持体４０の帯電を行う。
【００４３】
現像装置６１は、図示例では、磁性キャリアと非磁性トナーとよりなる二成分現像剤を使用する。そして、その二成分現像剤を攪拌しながら搬送して現像スリーブ６５に付着する攪拌部６６と、その現像スリーブ６５に付着した二成分現像剤のうちのトナーを像担持体１０に転移する現像部６７とで構成し、その現像部６７より攪拌部６６を低い位置とする。
【００４４】
攪拌部６６には、平行な２本の攪拌スクリュ６８を設ける。２本の攪拌スクリュ６８の間は、両端部を除いて仕切り板６９で仕切る。また、現像ケース７０にトナー濃度センサ７１を取り付ける。
【００４５】
一方、現像部６７には、現像ケース７０の開口を通して像担持体４０と対向して現像スリーブ６５を設けるとともに、その現像スリーブ６５内にマグネット７２を固定して設ける。また、その現像スリーブ６５に先端を接近してドクタブレード７３を設ける。
【００４６】
そして、２成分現像剤を２本の攪拌スクリュ６８で攪拌しながら搬送循環し、現像スリーブ６５に供給する。現像スリーブ６５に供給された現像剤は、マグネット７２により汲み上げて保持し、現像スリーブ６５上に磁気ブラシを形成する。磁気ブラシは、現像スリーブ６５の回転とともに、ドクタブレード７３によって適正な量に穂切りする。切り落とされた現像剤は、攪拌部６６に戻される。
【００４７】
他方、現像スリーブ６５上の現像剤は、像担持体４０に転移してその像担持体４０上の静電潜像を可視像化する。可視像化後、現像スリーブ６５上に残った現像剤は、マグネット７２の磁力がないところで現像スリーブ６５から離れて攪拌部６６に戻る。この繰り返しにより、攪拌部６６内のトナー濃度が薄くなると、それをトナー濃度センサ７１で検知して攪拌部６６にトナー補給する。
【００４８】
１次転写装置６２は、ローラ状とし、中間転写体１０を挟んで像担持体４０に押し当てて設ける。別に、ローラ状に限らず、非接触のチャージャであってもよい。
【００４９】
クリーニング装置６３は、先端を像担持体４０に押し当てて、例えばポリウレタンゴム製のクリーニングブレード７５を備えるとともに、外周を像担持体４０に接触して導電性のファーブラシ７６を矢示方向に回転自在に備える。また、ファーブラシ７６にバイアスを印加する金属製電界ローラ７７を矢示方向に回転自在に備え、その電界ローラ７７にスクレーパ７８の先端を押し当てる。さらに、除去したトナーを回収する回収スクリュ７９を設ける。
【００５０】
そして、像担持体４０に対してカウンタ方向に回転するファーブラシ７６で、像担持体４０上の残留トナーを除去する。ファーブラシ７６に付着したトナーは、ファーブラシ７６に対してカウンタ方向に回転してバイアスを印加する電界ローラ７７で取り除く。電界ローラ７７は、スクレーパ７８でクリーニングする。除去したトナーは、回収スクリュ７９で不図示の廃トナーボトルへと搬送し、または現像装置６１へと戻して再利用する。
【００５１】
除電装置６４は、例えばランプであり、光を照射して像担持体４０の表面電位を初期化する。
【００５２】
そして、像担持体４０の回転とともに、まず帯電装置６０で像担持体４０の表面を一様に帯電し、次いでスキャナ３００の読取り内容に応じて上述した露光装置２１からレーザやＬＥＤ等による書込み光Ｌを照射して像担持体４０上に静電潜像を形成する。
【００５３】
その後、現像装置６１によりトナーを付着してその静電潜像を可視像化し、その可視像を１次転写装置６２で中間転写体１０上に転写する。画像転写後の像担持体４０の表面は、クリーニング装置６３で残留トナーを除去して清掃し、除電装置６４で除電して再度の画像形成に備える。
【００５４】
ところで、図示タンデム作像装置２０では、詳しくは図３に示すように、ブラック・イエロ・マゼンタ・シアンの４つの単色作像手段１８ＢＫ・１８Ｙ・１８Ｍ・１８Ｃを、ブラックの単色作像手段１８ＢＫを最上流側に位置して中間転写体１０の図中矢示する搬送方向に沿って順に配置する。
【００５５】
図４には、画像形成装置本体である複写機本体１００内に備える本体フレームＦを示す。
【００５６】
本体フレームＦは、複写機本体１００の外径を形成する骨組であり、前側の下横フレームａと後側の下横フレームｂと左右の下横フレームｃ、ｄとを枠状に組み付け、その前側の両隅から前縦フレームｅ、ｆを立ち上げるとともに、後側の両隅から幅広の後縦フレームｇ、ｈを立ち上げる。
【００５７】
そして、前縦フレームｅ、ｆの上端間を結んで上横フレームｉを前側に掛け渡し、後縦フレームｇ、ｈの上端間を結んで上横フレームｊ、ｋを後側に掛け渡す。また、左側の前縦フレームｅと後縦フレームｇ間の上端寄りには左側の水平フレームｍを、右側の前縦フレームｆと後縦フレームｈ間の上端寄りには右側の水平フレームｎを掛け渡して設ける。
【００５８】
このような本体フレームＦでは、４つの横フレームａ、ｂ、ｃ、ｄと４つの縦フレームｅ、ｆ、ｇ、ｈで、上述した給紙路４８を形成する給紙装置、２次転写ベルト２４、定着装置２５、記録媒体反転装置２８などをそれぞれ支持し、上横フレームｉ、ｊ、ｋでスキャナ３００を支持する。また、図５に示すように、一対の水平フレームｍ、ｎ上に載せて、書込みユニットフレーム８０を支持する。
【００５９】
書込みユニットフレーム８０には、左右に水平折り曲げ部８１を設け、その前後２ヶ所を各々固定ねじ８２で水平フレームｍ、ｎに上からねじ付けて固定する。このとき、ねじ付け位置の少なくとも１つには、例えば図６に示すように、固定ねじ８２に近接して高さ調整ねじ８３を設け、水平フレームｍ、ｎにねじ付けて取り付ける。
【００６０】
そして、その調整ねじ８３の高さ位置を調整してから、そのヘッド部上に水平折り曲げ部８１を載せて書込みユニットフレーム８０を取り付け、固定ねじ８２をねじ込んで一対の水平フレームｍ、ｎ上で書込みユニットフレーム８０を高さ調整自在に固定するようにする。
【００６１】
このようにすると、一対の水平フレームｍ、ｎ上に載せて書込みユニットフレーム８０を支持するから、書込みユニットフレーム８０の取り付け作業を簡単とすることができる。また、一対の水平フレームｍ、ｎ上で書込みユニットフレーム８０を高さ調整自在に固定するから、書込みユニットフレーム８０を歪みなく取り付け、画像品質の低下を一層防止することができる。
【００６２】
さて、書込みユニットフレーム８０の前面および後面には、位置決めピン８４を立てる。そして、図７に示すように、その位置決めピン８４で位置決めし、書込みユニットフレーム８０の前側に前側板８５をぶら下げるように取り付け、後側にその前側板８５と対向して後側板８６をぶら下げるように取り付け、取付ねじ８７でねじ止め固定する。
【００６３】
そして、対向する前後側板８５・８６間に掛け渡すように取り付け、タンデム作像装置２０の上述した像担持体４０、帯電装置６０、現像装置６１、クリーニング装置６３、除電装置６４などを支持する。
【００６４】
【発明の効果】
以上説明したとおり、請求項１に記載の発明によれば、画像形成装置本体の本体フレームで、露光装置を保持する書込みユニットフレームを支持し、その書込みユニットフレームに前側板と後側板とを対向して取り付け、それらの前後側板で作像装置を支持するので、作像装置の各装置と書込みユニットフレームとの間には前後側板を設けるだけとして公差の積み重ねを最小限とし、互いの位置ずれを少なくして、画像品質の低下を防止するとともに、部品点数を低減してコストダウンを図ることができる。
【００６５】
請求項２に記載の発明によれば、本体フレームに一対の水平フレームを設け、それら一対の水平フレーム上に載せて書込みユニットフレームを支持するので、書込みユニットフレームを取り付けるとき一対の水平フレーム上に上から載せてねじ止めすればよく、書込みユニットフレームを支えたりする必要をなくして書込みユニットフレームの取り付け作業を簡単とすることができる。
【００６６】
請求項３に係る発明によれば、一対の水平フレーム上で書込みユニットフレームを高さ調整自在に固定するので、高さ調整して書込みユニットフレームを歪みなく取り付け、画像品質の低下を一層防止することができる。
【００６７】
請求項４に係る発明によれば、作像装置として、４つの像担持体を備えたタンデム作像装置を備えるので、特にタンデム型画像形成装置において、精度よく構成して、作像装置の各装置と書込みユニットフレームとの位置ずれを少なくし、画像品質の低下を防止するとともに、部品点数を低減してコストダウンを図ることができる。
【図面の簡単な説明】
【図１】この発明による画像形成装置の一例であるカラー複写機の全体概略構成図である。
【図２】そのカラー複写機に備えるタンデム作像装置の部分拡大図である。
【図３】そのタンデム作像装置の全体構成図である。
【図４】その複写機本体に備える本体フレームの斜視図である。
【図５】その本体フレームに書込みユニットフレームを取り付けた状態を示す斜視図である。
【図６】書込みユニットフレームを固定する１つの固定ねじのねじ付け位置の一部破断部分拡大図である。
【図７】その書込みユニットフレームに前後側板を取り付けた状態の本体フレームの斜視図である。
【図８】直接転写方式の画像形成装置におけるタンデム作像装置の構成図である。
【図９】間接転写方式の画像形成装置におけるタンデム作像装置の構成図である。
【符号の説明】
１００　　複写機本体（画像形成装置本体）
２０　　タンデム作像装置
２１　　露光装置
４０　　像担持体
６０　　帯電装置
６１　　現像装置
６３　　クリーニング装置
６４　　除電装置
８０　　書込みユニットフレーム
８１　　水平折り曲げ部
８２　　固定ねじ
８３　　調整ねじ
８４　　位置決めピン
８５　　前側板
８６　　後側板
８７　　取付ねじ
Ｆ　　本体フレーム
ｍ　　水平フレーム
ｎ　　水平フレーム
【図１】
2004045923.tif 000003
【図２】
2004045923.tif 000004
【図３】
2004045923.tif 000005
【図４】
2004045923.tif 000006
【図５】
2004045923.tif 000007
【図６】
2004045923.tif 000008
【図７】
2004045923.tif 000009
【図８】
2004045923.tif 000010
【図９】
2004045923.tif 000011